(57)【要約】【課題】表示画面の所定部分を指し示す指示部と同様の画像を表示画面が含んでいても、指示部を検出することが可能なポインティング装置およびそれを備えた携帯機器を提供する。【解決手段】フレームバッファ２が格納している表示画面に対応する画像信号と、カメラ６が出力する表示画面にレーザポインタ５のスポット光が付加された画面に対応する画像信号とをポインタ位置検出部８が比較し、両画像信号の異なる部分がレーザポインタ５による指示部としての照射光が存在する部分であると判断するので、表示画面に対応する画像信号にレーザポインタ５による照射光と同様な映像が存在していても、その映像は両画像信号に存在し、照射光の像は２つの画像信号の一方にしか含まれないので、この違いにより、レーザポインタ５による照射光と同様な映像をレーザポインタ５による照射光とを区別する。【選択図】      図１
2004287731.tif 000002
【特許請求の範囲】
【請求項１】
表示画面の中の所定部分を指し示す指示部の位置を検出するポインティング装置であって、
前記表示画面に応じた画像信号を格納する格納手段と、
撮影画像に応じた画像信号を出力する撮影手段と、
前記格納手段に格納してある画像信号と前記撮影手段が出力した画像信号とに基づき、前記指示部の位置を検出する位置検出手段とを含むことを特徴とするポインティング装置。
【請求項２】
請求項１に記載のポインティング装置において、前記位置検出手段は、前記格納手段に格納してある画像信号と前記撮影手段が出力した画像信号とを比較し、比較した両映像信号の異なる部分が前記指示部であると判定し、前記指示部であると判定した部分の位置を前記指示部の位置として検出することを特徴とするポインティング装置。
【請求項３】
請求項１または２に記載のポインティング装置において、前記格納手段に格納してある画像信号を外部に出力する画像信号出力手段をさらに含むことを特徴とするポインティング装置。
【請求項４】
請求項１ないし３のいずれかに記載のポインティング装置において、
前記指示部としてのスポット光を照射する光照射指示手段をさらに含むことを特徴とするポインティング装置。
【請求項５】
請求項４に記載のポインティング装置において、
前記光照射指示手段は、照射するスポット光として複数の波長のものを具備し、各波長のスポット光を同時に照射することを特徴とするポインティング装置。
【請求項６】
請求項４に記載のポインティング装置において、
前記光照射指示手段は、照射するスポット光として複数の波長のものを具備し、各波長のスポット光を選択的に変化させて照射することを特徴とするポインティング装置。
【請求項７】
請求項１ないし３のいずれかに記載のポインティング装置において、
動作開始信号を出力する第１の操作部材と、前記第１の操作部材から出力される動作開始信号の入力に応じて前記指示部としてのスポット光を照射する光照射指示手段とをさらに含み、前記撮影手段は、前記第１の操作部材から出力される動作開始信号の入力に応じて撮影を開始することを特徴とするポインティング装置。
【請求項８】
請求項１ないし７のいずれかに記載のポインティング装置において、
前記指示部の位置を確定するための位置確定信号を出力する第２の操作部材と、
前記第２の操作部材から位置確定信号が出力された際に前記位置検出手段が検出した指示部の位置に前記指示部を確定する位置確定手段とをさらに含むことを特徴とするポインティング装置。
【請求項９】
請求項１ないし８のいずれかに記載のポインティング装置と、前記撮影手段が出力する画像信号に応じた画面を表示する表示手段とを含むことを特徴とする携帯機器。
【請求項１０】
請求項１ないし８のいずれかに記載のポインティング装置と、前記格納手段に格納してある画像信号に応じた画面を表示する表示手段とを含む携帯機器であって、
前記表示手段は、携帯機器の本体に設けてあり、前記撮影手段は、携帯機器の本体と別体の操作部に設けてあることを特徴とする携帯機器。
【発明の詳細な説明】
【０００１】
【発明の属する技術分野】
本発明は、ポインティング装置およびそれを備えた携帯機器に関する。
【０００２】
【従来の技術】
従来、表示装置に表示された画面の中の所定部分を指し示す指示部の位置を検出するポインティング装置がある。
【０００３】
特許文献１（特開２００１−２３６１８１号公報）には、表示装置と無線通信するポインティング装置が記載されている。
【０００４】
以下、特許文献１に記載のポインティング装置を簡単に説明する。
【０００５】
特許文献１に記載のポインティング装置は、４角形の表示画面上の所定部分を指し示すためのレーザポインタと、そのレーザポインタからの照射光（指示部）で指し示された所定部分を含む表示画面を撮影するＣＣＤカメラと、そのＣＣＤカメラで撮影された表示画面に応じた画像信号からレーザポインタからの照射光が指し示す位置を求める処理回路と、その処理回路で求められた位置の情報を無線送信するＲＦ変換回路とを備える。
【０００６】
特許文献１に記載のポインティング装置が有する処理回路は、ＣＣＤカメラから出力される画像信号から輝度成分を取り出し、取り出した輝度成分を微分して微分信号を出力し、その微分信号から４角形の表示画面の輪郭を形成する４辺およびレーザポインタによる指示部としての照射光の縁の部分とを求め、求めた４辺とレーザポインタによる照射光の縁の部分との相対関係に基づき照射光の位置を求めている。
【０００７】
【特許文献１】
特開２００１−２３６１８１号公報
【０００８】
【発明が解決しようとする課題】
特許文献１に記載のポインティング装置は、４角形の表示画面の輪郭を形成する４辺とレーザポインタによる照射光の縁の部分との相対関係に基づき照射光の位置を求めている。このため、特許文献１に記載のポインティング装置の場合、４角形の表示画面の大きさが小さくなればなるほど、指示部としての照射光の位置検出精度が悪化していく。
【０００９】
本発明の目的は、表示画面の中の所定部分を指し示す指示部の位置検出精度が悪化することを防止可能なポインティング装置およびそれを備えた携帯機器を提供することである。
【００１０】
【課題を解決するための手段】
上記の目的を達成するために、本発明のポインティング装置は、格納手段に格納してある表示画面に応じた画像信号と撮影手段が出力する撮影画面に応じた画像信号とに基づき位置検出手段が指示部の位置を検出する。よって、撮像手段が指示部によって所定部分が指し示された表示画面を撮影するようにすれば、指示部が含まれる画像信号と指示部が含まれない画像信号とに基づき位置検出手段が指示部の位置を検出できる。したがって、従来のように表示画面の輪郭の４辺と指示部との相対関係に基づき指示部の位置を検出する必要がなく、表示画面が小さくなるにつれて指示部の位置検出精度がますます悪化するという問題を防止可能となる。
【００１１】
また、表示画面が、指示部によって指示された部分と異なる箇所に指示部と同様の画像を含んでいても、格納手段に格納された画像信号と撮像手段が出力する画像信号とに指示部と同様の画像が含まれ、指示部の画像が両画像信号の一方にしか含まれないので、位置検出手段は指示部と同様の画像と指示部とを区別することが可能となる。
【００１２】
また、本発明のポインティング装置は、位置検出手段が、格納手段に格納してある画像信号と撮影手段が出力した画像信号とを比較し、比較した両映像信号の異なる部分が指示部であると判定し、指示部であると判定した部分の位置を指示部の位置として検出するので、上記と同様の効果を奏し、指示部の位置を精度よく検出可能となる。
【００１３】
また、本発明のポインティング装置は、格納手段に格納してある画像信号を外部に出力する画像信号出力手段をさらに含むので、画像信号出力手段から出力される画像信号に応じた表示を外部の表示装置に表示させることが可能となる。よって、例えば、大きい表示画面を有する外部の表示装置を用いれば、使用者は表示画面上の指示部の位置を細かく設定可能となる。
【００１４】
また、本発明のポインティング装置は、前記指示部としてのスポット光を照射する光照射指示手段をさらに含む。
【００１５】
光照射指示手段は、照射するスポット光として複数の波長のものを具備し、各波長のスポット光を同時に照射するものとすれば、スポット光によって指し示された所定部分の画像とその指し示したスポット光の色とが同じになる可能性が小さくなるので、スポット光の位置を高い確率で検出可能となる。
【００１６】
前記光照射指示手段は、照射するスポット光として複数の波長のものを具備し、各波長のスポット光を選択的に変化させるものとすれば、スポット光によって指し示された所定部分の画像とその指し示したスポット光の色とが一旦同じになりスポット光が検出できない状態が生じても、その後、スポット光の色が変わるので、スポット光の位置を検出可能となる。
【００１７】
また、本発明のポインティング装置は、光照射指示手段からスポット光を照射させ、かつ撮影手段に撮影を開始させる動作開始信号を第１の操作部材が出力するで、第１の操作部材を操作することにより光照射指示手段の動作と撮影手段の動作とを開始できる。よって、光照射指示手段の動作を開始するため操作部材と撮影手段の動作を開始するための操作部材とを別々に設ける場合に比べて、構成の簡略化が図れる。
【００１８】
また、本発明のポインティング装置は、第２の操作部材から位置確定信号が出力された際に位置検出手段が検出した指示部の位置に指示部を確定する位置確定手段をさらに含むので、使用者は、指示部の位置を確定しやすくなる。
【００１９】
また、本発明の携帯機器は、前記ポインティング装置と、撮影手段が出力する画像信号に応じた画面を表示する表示手段とを含むので、上記と同様の効果を奏するとともに、表示手段により指示部の位置を確認可能となる。
【００２０】
また、本発明の携帯機器は、表示手段が携帯機器の本体に設けてあり、撮影手段が携帯機器の本体と別体の操作部に設けてあるので、表示手段に表示される、指示部によって所定部分が指し示された表示画面を撮影手段によって撮影可能となる。よって、携帯機器が有する表示手段を用いて指示部の位置を検出可能となる。
【００２１】
【発明の実施の形態】
以下、本発明の実施の形態を図面に示す一実施例に基づき説明する。
【００２２】
図１は、本発明の一実施例のポインティング装置を示したブロック図である。また、図２は、図１に示したポインティング装置が組み込まれた本発明の一実施例の携帯機器を示した斜視図である。
【００２３】
図１において、ポインティング装置１は、フレームバッファ２と、画像出力装置３と、レーザ照射釦４と、レーザポインタ５と、カメラ６と、入力画像バッファ７と、ポインタ位置検出部８と、ポインタ操作釦９とポインタ制御処理部１０とを含む。
【００２４】
図２において、携帯電話機等の携帯機器１１は、図１に示したポインティング装置と、表示部１２と、通話用穴１４と、通話用穴１５とを含む。携帯機器１１は、携帯電話機に限らず適宜変更可能である。表示手段としての表示部１２には、矢印等により示されるポインタ１３が表示される。なお、図２において、図１と同一構成のものには同一符号を附してある。
【００２５】
図１に戻って、ポインティング装置１は、表示画面の中の所定部分を指し示す指示部（本実施例では、レーザポインタ５から照射された照射光によって形成されるスポット光）の位置を検出する。また、ポインティング装置１は、図２に示したポインタ１３を所望の位置に移動させる。
【００２６】
格納手段としてのフレームバッファ２は、表示画面に応じた画像信号を格納している。フレームバッファ２に格納される画像信号は、例えば、図２に示した携帯機器１１の表示部１２に表示されるように指定されている表示画面に応じた画像信号である。
【００２７】
画像信号出力手段としての画像出力装置３は、ケーブル等を介してフレームバッファ２に格納されている画像信号を外部の表示装置等に出力する。なお、画像出力装置３は、フレームバッファ２に格納されている画像信号を無線通信で外部の表示装置等に出力するようにしてもよい。外部の表示装置は、入力する画像信号に応じた画面を表示する。換言すれば、外部の表示装置は、フレームバッファ２に格納されている画像信号に応じた画面を表示する。
【００２８】
図３は、画像出力装置３と外部の表示装置１６とをケーブル１７で接続した状態を示した説明図である。
【００２９】
テレビジョンモニタ等の外部の表示装置１６は、画像出力装置３からケーブル１７を介して入力するフレームバッファ２に格納されている画像信号に応じた画像を表示する。なお、外部の表示装置１６は、テレビジョンモニタに限るものではなく、適宜変更可能である。例えば、外部の表示装置１６は、ＣＲＴモニタまたは液晶モニタまたはプロジェクタ装置などでもよい。
【００３０】
図１に戻って、第１の操作部材としてのレーザ照射釦４は、使用者によって操作されたとき、レーザポインタ５とカメラ６とに動作開始を指示する動作開始信号を出力する。
【００３１】
光照射指示手段としてのレーザポインタ５は、レーザ照射釦４から出力された動作開始信号に入力に応じて指示部５ａとしてのスポット光（図３参照）を形成するためのレーザビームを照射する。
【００３２】
なお、レーザポインタ５は、レーザビームを照射する際、レーザビームの色（波長）を変更していくことが好ましい。レーザビームの色を変更するレーザポインタの一例としては、互いに異なる色（波長）のレーザビームを照射する複数のレーザポインタを備え、これら複数のレーザポインタが順番にレーザビームを照射していくレーザポインタ装置が挙げられる。
【００３３】
使用者は、レーザポインタ５から照射されるレーザビームのスポット光５ａによって、外部の表示装置１６に表示された画面上の所定部分を指し示す。
【００３４】
例えば、使用者は、外部の表示装置１６に表示された画面の正面位置からレーザポインタ５を用いて外部の表示装置１６に表示された画面上の所定部分を指し示す。なお、使用者は、外部の表示装置１６に表示された画面の正面位置と異なる位置からレーザポインタ５を用いて外部の表示装置１６に表示された画面上の所定部分を指し示してもよい。
【００３５】
撮像手段としてのカメラ６は、撮影した画面に応じた画像信号を出力するカメラである。カメラ６の撮影方向は、レーザポインタ５から照射されるレーザビームによって照射される物体を撮影する方向に設定されている。よって、レーザポインタ５により表示画面に表示された所定部分が指し示されていると、カメラ６は、指示部（スポット光）によって所定部分が指し示された表示画面を撮影するようになっている。
【００３６】
カメラ６は、レーザ照射釦４から出力された動作開始信号の入力に応じて所定の間隔で撮影を行う。カメラ６は、撮影するごとに撮影した画面に応じた画像信号を入力画素バッファ７に出力する。よって、レーザポインタ５により外部の表示装置１６に表示された画面の一部が指し示されていると、カメラ６は、外部の表示装置１６に表示された画面にレーザポインタ５による照射光が付加された画面に応じた画像信号を順次出力する。
【００３７】
入力画像バッファ７は、カメラ６から出力された画像信号を逐次格納する。よって、入力画像バッファ７に格納されている画像信号は、外部の表示装置１６に表示された画面にレーザポインタ５による照射光が付加された画面に応じた画像信号となる。ちなみに、フレームバッファ２に格納されている画像信号は、外部の表示装置１６に表示された画面に応じた画像信号である。
【００３８】
なお、使用者が、外部の表示装置１６に表示された画面の正面位置と異なる位置からレーザポインタ５を用いて外部の表示装置１６に表示された画面上の所定部分を指し示している場合、カメラ６が出力する画像信号を画像処理して、フレームバッファ２に格納されている画像信号に応じた画像信号とすることが好ましい。
【００３９】
位置検出手段としてのポインタ位置検出部８は、フレームバッファ２に格納されている画像信号と入力画像バッファ７に逐次格納されている画像信号（カメラ６が出力した画像信号）とを比較し、比較した両画像信号の異なる部分がレーザポインタ５によるスポット光５ａとしての照射光であると判定する。
【００４０】
なお、レーザポインタ５によるスポット光５ａの色が固定されていると、例えばスポット光によって指し示された画面がスポット光と同様な画面であった場合、フレームバッファ２に格納されている画像信号と入力画像バッファ７に逐次格納されている画像信号が同じような信号になってしまい、スポット光５ａを検出できなくなってしまうという問題が発生する可能性がある。
【００４１】
この問題を解決する１つの手法は、レーザポインタ５として、レーザビームを照射する際にレーザビームの色を変更していくものを用いることである。レーザビームの色が変わっていくと、スポット光によって指し示された所定部分の画像とスポット光の色とが一旦同じになっても、その後、スポット光の色が変わるので、スポット光の位置を検出可能となる。
【００４２】
また、ポインタ位置検出部８が行う比較および判定は、入力画像バッファ７に格納されている画像信号が変更されるごとに行ってもよいし、ポインタ操作釦９の操作に応じて行うようにしてもよい。
【００４３】
ポインタ位置検出部８は、レーザポインタ５による照射光であると判定した部分の位置をレーザポインタ５による照射光の位置として検出する。具体的には、レーザポインタ５から照射されたレーザ光であるスポット光がフレームバッファ２に格納されている画像信号に応じた画面上のどの位置に照射されているかを検出する。
【００４４】
第２の操作部材としてのポインタ操作釦９は、例えばクリック釦である。ポインタ操作釦９は使用者によって操作されたとき、ポインタ制御処理部１０にスポット光の位置を確定するための位置確定信号としてクリック信号を出力する。
【００４５】
位置確定手段としてのポインタ制御処理部１０は、ポインタ位置検出部８が検出したスポット光の位置に図３に示したポインタ１３を移動する。
【００４６】
ポインタ制御処理部１０は、ポインタ操作釦９からクリック信号が出力された際にポインタ位置検出部８が検出したスポット光の位置にスポット光の位置を確定し、クリック動作を実行する。
【００４７】
なお、ポインタ位置検出部８とポインタ制御処理部１０は、別々の回路で構成してもよい。また、ポインタ位置検出部８とポインタ制御処理部１０は、ポインタ位置検出部８とポインタ制御処理部１０の機能をＣＰＵに実行させるソフトウエアとそのソフトウエアを実行するＣＰＵとで構成するようにしてもよい。
【００４８】
次に、動作を説明する。
【００４９】
なお、図３に示すように、携帯機器１１の画像出力装置３はケーブル１７を介して外部の表示装置１６と接続されているものとする。外部の表示装置１６は、画像出力装置３からケーブル１７を介して出力されるフレームバッファ２に格納されている画像信号に応じた表示を行う。よって、例えば、表示画面の大きい外部の表示装置を用いれば、使用者は表示画面上の指示部の位置を細かく設定しやすくなる。
【００５０】
使用者によってレーザ照射釦４が操作されると、レーザ照射釦４は、レーザポインタ５とカメラ６とに動作開始信号を出力する。
【００５１】
レーザポインタ５は、レーザ照射釦４から出力された動作開始信号に入力に応じてレーザビームを照射する。なお、レーザポインタ５は、照射するレーザビームの色を変更していくことが好ましい。また、カメラ６は、レーザ照射釦４から出力された動作開始信号の入力に応じて所定の間隔で撮影を行う。
【００５２】
本実施例では、レーザ照射釦４が操作されることにより、レーザポインタ５とカメラ６とが動作を開始するので、レーザポインタ５の動作を開始するための釦とカメラ６の動作を開始するための釦とを別々に設ける場合に比べて、構成の簡略化が図れる。よって、小型化が可能となる。
【００５３】
使用者は、外部の表示装置１６に表示された画面の正面位置からレーザポインタ５から照射されるレーザビームを用いて外部の表示装置１６に表示された画面上の所定部分を指し示す。
【００５４】
カメラ６は、レーザポインタ５から照射されるレーザビームによって照射された外部の表示装置１６の表示画面を逐次撮影する。
【００５５】
入力画像バッファ７は、カメラ６から出力された画像信号を逐次格納する。よって、入力画像バッファ７に格納されている画像信号は、外部の表示装置１６に表示された画面にレーザポインタ５によるスポット光が付加された画面に応じた画像信号となる。
【００５６】
なお、入力画像バッファ７に格納される画像信号に応じた画面を携帯機器１１が有する表示部１２で表示するようにしてもよい。この場合、使用者は、カメラ６で実際に撮影されている画面を確認することが可能となる。よって、外部の表示装置１６に表示された画面にレーザポインタ５による照射光が付加された画面だけをカメラ６で撮影することが容易になる。
【００５７】
ポインタ位置検出部８は、フレームバッファ２に格納されている画像信号と入力画像バッファ７に逐次格納されている画像信号とを逐次比較し、両画像信号の異なる部分がレーザポインタ５による照射光が存在する部分であると判断する。
【００５８】
ポインタ位置検出部８は、レーザポインタ５による照射光が存在する部分を確認した後、レーザポインタ５から照射されたレーザ光であるスポット光がフレームバッファ２に格納されている画像信号に応じた画面上のどの位置に照射されているかを検出する。
【００５９】
ポインタ制御処理部１０は、ポインタ位置検出部８が検出したスポット光の位置に図３に示したポインタ１３を移動する。
【００６０】
使用者は、レーザポインタ５による照射光がポインタ１３を移動したい場所を示したとき、ポインタ操作釦９を操作する。使用者により操作されたポインタ操作釦９は、クリック信号をポインタ制御処理部１０に出力する。
【００６１】
ポインタ制御処理部１０は、ポインタ操作釦９からクリック信号が出力された際にポインタ位置検出部８が検出したスポット光の位置にスポット光の位置を確定し、クリック動作を実行する。
【００６２】
本実施例は、表示画面に対応する画像信号と表示画面にレーザポインタ５のスポット光が付加された画面に対応する画像信号とを比較し、両画像信号の異なる部分がレーザポインタ５による照射光が存在する部分であると判断する。
【００６３】
よって、表示画面が、レーザポインタ５による照射光によって指示された部分と異なる箇所にレーザポインタ５による照射光と同様の画像を含んでいても、その映像は両画像信号に存在し、レーザポインタ５による照射光の像は２つの画像信号の一方にしか含まれないので、この違いに基づくことにより、レーザポインタ５による照射光と同様な映像をレーザポインタ５による照射光と誤認することを防止可能となる。
【００６４】
また、レーザポインタ５がスポット光の色を変更することにより、スポット光によって指し示された所定部分の画像とその指し示したスポット光の色とが一旦同じになりスポット光が検出できない状態が生じても、その後、スポット光の色が変わるので、スポット光の位置を検出可能となる。
【００６５】
図４は、本発明の他の実施例となるポインティング装置が組み込まれた携帯電話機等の携帯機器を示した説明図である。なお、図４において、図１または図２と同一構成のものには同一符号を附してある。
【００６６】
図４において、携帯機器１１の本体と別体の操作部１８は、カメラ６が設けてある。さらに操作部１８には、カメラ６とともにレーザポインタ５が設けてある。さらに操作部１８には、カメラ６とレーザポインタ５とともにレーザ照射釦４が設けてある。操作部１８には、さらにポインタ操作釦９が設けてある。カメラ６の撮影方向は、レーザポインタ５から照射されるレーザビームによって照射される物体を撮影するように設定されている。
【００６７】
操作部１８は、ケーブル１９を介して携帯機器１１と接続されている。
【００６８】
携帯機器１１は、フレームバッファ２と、画像出力装置３と、入力画像バッファ７と、ポインタ位置検出部８とポイント制御処理部１０等が組み込まれている。
【００６９】
ケーブル１９は、カメラ６が出力する画像信号を携帯機器１１に組み込まれた入力画像バッファ７に伝える。また、ケーブル１９は、ポインタ操作釦９が出力するクリック信号を携帯機器１１に組み込まれたポインタ制御処理部１０に伝える。
【００７０】
次に、動作を説明する。
【００７１】
表示部１２は、フレームバッファ２に格納されている画像信号に応じた画面を表示する。
【００７２】
使用者によってレーザ照射釦４が操作されると、レーザ照射釦４は、レーザポインタ５とカメラ６とに動作開始信号を出力する。
【００７３】
レーザポインタ５は、レーザ照射釦４から出力された動作開始信号に入力に応じてレーザビームを照射する。好ましくは、レーザポインタ５は、レーザ照射釦４から出力された動作開始信号に入力に応じてレーザビームの色を変更しながら照射する。
【００７４】
カメラ６は、レーザ照射釦４から出力された動作開始信号の入力に応じて所定の間隔で撮影を行う。
【００７５】
使用者は、表示部１２に表示された画面の正面位置からレーザポインタ５から照射されるレーザビームを用いて表示部１２に表示された画面上の所定部分を指し示す。
【００７６】
カメラ６は、レーザポインタ５から照射されるレーザビームによって照射された表示部１２の表示画面を逐次撮影する。
【００７７】
入力画像バッファ７は、カメラ６から出力された画像信号を逐次格納する。よって、入力画像バッファ７に格納されている画像信号は、表示部１２に表示された画面にレーザポインタ５による照射光が付加された画面に応じた画像信号となる。
【００７８】
ポインタ位置検出部８は、フレームバッファ２に格納されている画像信号と入力画像バッファ７に逐次格納されている画像信号とを逐次比較し、両画像信号の異なる部分がレーザポインタ５による照射光が存在する部分であると判断する。
【００７９】
なお、レーザポインタ５がスポット光の色を変更することにより、スポット光によって指し示された所定部分の画像とその指し示したスポット光の色とが一旦同じになりスポット光が検出できない状態が生じても、その後、スポット光の色が変わるので、スポット光の位置を検出可能となる。
【００８０】
ポインタ位置検出部８は、レーザポインタ５による照射光が存在する部分を確認した後、レーザポインタ５から照射されたレーザ光であるスポット光がフレームバッファ２に格納されている画像信号に応じた画面上のどの位置に照射されているかを検出する。
【００８１】
ポインタ制御処理部１０は、ポインタ位置検出部８が検出したスポット光の位置に図４に示したポインタ１３を移動する。
【００８２】
使用者は、レーザポインタ５による照射光がポインタ１３を移動したい場所を示したとき、ポインタ操作釦９を操作する。使用者により操作されたポインタ操作釦９は、クリック信号をポインタ制御処理部１０に出力する。
【００８３】
ポインタ制御処理部１０は、ポインタ操作釦９からクリック信号が出力された際にポインタ位置検出部８が検出したスポット光の位置にスポット光の位置を確定し、クリック動作を実行する。
【００８４】
図４に示した実施例では、フレームバッファ２に格納された画像信号に応じた画面を画像出力装置３から外部の表示装置に出力した場合は、図３に示した実施例のようにポインタ１３を制御できる。
【００８５】
また、フレームバッファ２に格納された画像信号に応じた画面を画像出力装置３から外部の表示装置に出力しない場合でも、携帯電話機などの携帯機器１１に具備された液晶ディスプレイ等の表示部１２を外部の表示装置のかわりに用いることにより、フレームバッファ２に格納された画像信号に応じた画面を画像出力装置３から外部の表示装置に出力した場合と同様の動作を実現できる。
【００８６】
以上説明した各実施例において、図示した構成は単なる一例であって、本発明はその構成に限定されるものではない。
【００８７】
例えば、レーザポインタ５は、照射するスポット光として複数の色（波長）のスポット光を照射する照射を具備し、スポット光を照射する際、各波長のスポット光を同時に照射するものとしてもよい。
【００８８】
スポット光を照射する際、各波長のスポット光を同時に照射する場合、スポット光によって指し示された所定部分の画像とその指し示したスポット光の色とが同じになる可能性が小さくなるので、スポット光の位置を高い確率で検出可能となる。
【００８９】
なお、照射するスポット光として複数の色（波長）のスポット光を具備し、スポット光を照射する際、各波長のスポット光を同時に照射するレーザポインタの一例としては、互いに異なる色（波長）のスポット光を照射する複数のレーザポインタを備え、これら複数のレーザポインタから各波長のスポット光を同時に照射していくレーザポインタ装置が挙げられる。
【００９０】
また、指示手段はレーザポインタに限らず、適宜変更可能である。
【００９１】
【発明の効果】
本発明によれば、格納手段に格納してある表示画面に応じた画像信号と、撮影手段が出力する撮影画面に応じた画像信号とに基づき、位置検出手段が指示部の位置を検出するので、撮像手段が指示部によって所定部分が指し示された表示画面を撮影するようにすれば、指示部が含まれる画像信号と指示部が含まれない画像信号とに基づき位置検出手段が指示部の位置を検出できる。
【００９２】
よって、従来のように表示画面の輪郭の４辺と指示部との相対関係に基づき指示部の位置を検出する必要がなく、表示画面が小さくなるにつれて指示部の位置検出精度がますます悪化するという問題を防止可能となる。
【００９３】
また、表示画面が、指示部によって指示された部分と異なる箇所に指示部と同様の画像を含んでいても、格納手段に格納された画像信号と撮像手段が出力する画像信号とに指示部と同様の画像が含まれ、指示部の画像が両画像信号の一方にしか含まれないので、位置検出手段は指示部と同様の画像と指示部とを区別することが可能となる。
【図面の簡単な説明】
【図１】本発明の一実施例のポインティング装置を示したブロック図である。
【図２】本発明の一実施例の携帯機器を示した斜視図である。
【図３】本実施例の携帯機器の一使用形態を示した説明図である。
【図４】本発明の他の実施例の携帯機器を示した斜視図である。
【符号の説明】
１      ポインティング装置
２      フレームバッファ
３      画像出力装置
４      レーザ照射釦
５      レーザポインタ
５ａ    指示部
６      カメラ
７      入力画像バッファ
８      ポインタ位置検出部
９      ポインタ操作釦
１０      ポインタ制御処理部
１１      携帯機器
１２      表示部
１３      ポインタ
１４      通話用穴
１５      通話用穴
１６      外部の表示装置
１７      ケーブル
１８      操作部
１９      ケーブル
【図１】
2004287731.tif 000003
【図２】
2004287731.tif 000004
【図３】
2004287731.tif 000005
【図４】
2004287731.tif 000006